(57)【特許請求の範囲】
【請求項１】
開閉自在な扉パネルと当該扉パネルを閉じた状態でロックする係止手段とを備え、当該係止手段が、扉パネルに隣接する側壁パネル側の被係止部と、この被係止部に対して係脱自在なロック部材とから成り、このロック部材は、扉パネル側に設けられた支持部に水平移動と自転とが可能に支持されたロックピンと当該ロックピンに連設された把手部とから構成され、前記ロック部材には、ロックピンが被係止部に係合するロック位置にあって且つ前記把手部が扉パネルの外側に沿う垂下姿勢にあるときに扉パネル側の被当接部に隣接してロックピンのロック解除方向への移動を阻止するロック保持用当接部が設けられ、把手部を前記垂下姿勢から上方に回動させることにより前記ロック保持用当接部が前記被当接部から離れてロック解除されるように構成され、前記ロック保持用当接部と前記被当接部とは、前記ロック部材の把手部が、前記垂下姿勢とほぼ真上まで回動した起立姿勢との間の上下回動範囲の中間特定角度にあるときのみ、ロック位置にあるロックピンのロック解除方向への移動を許すように構成された箱型パレットにおいて、
前記ロック保持用当接部は第一当接部と第二当接部とから構成され、前記被当接部は、前記第一当接部に対して作用する第一被当接部と、前記第二当接部に対して作用する第二被当接部とから構成され、把手部が垂下姿勢にあるときは、前記第一当接部と第一被当接部との当接によりロック位置にあるロックピンのロック解除方向への移動を阻止し、把手部が前記中間特定角度以外の角度まで上方に回動した状態では、前記第二当接部と第二被当接部との当接によりロック位置にあるロックピンのロック解除方向への移動を阻止するように構成され、
前記把手部は、左右両縦軸部において前記ロックピンに固着されたＵ字形把手部材で構成され、前記第一当接部は、前記Ｕ字形把手部材の片側の縦軸部の前記ロックピンより反対側に延出する遊端部で構成され、前記第一被当接部は、前記ロックピンがロック位置にあるときに前記第一当接部に隣接する扉パネルの縦方向線材で構成され、扉パネル側の前記支持部は、線材を門形に曲げ加工すると共に、その左右両縦軸部に外側へ円弧形に突出して前記ロックピンの支持孔を扉パネルとの間で構成する突出部が形成された支持部材から構成され、前記第二当接部は、前記ロックピンから突設された突起部で構成され、前記第二被当接部は、前記ロックピンがロック位置にあるときに前記第二当接部に隣接する前記支持部材の前記突出部で構成されている、扉パネルを備えた箱型パレット。
【請求項２】
前記第二当接部を構成する突起部は、ロックピンの周面の一部を両側から押しつぶして半径方向に張り出させた張出肉部により形成されている、請求項１に記載の扉パネルを備えた箱型パレット。
【発明の詳細な説明】
【技術分野】
【０００１】
本発明は、開閉自在な扉パネルを備えた箱型パレット、特にその扉パネルのロック手段に関するものである。
【背景技術】
【０００２】
扉パネルを備えた箱型パレットとして、特許文献１に記載のように、開閉自在な扉パネルと当該扉パネルを閉じた状態でロックする係止手段とを備え、当該係止手段が、扉パネルに隣接する側壁パネル側の被係止部と、この被係止部に対して係脱自在なロック部材とから成り、このロック部材は、扉パネル側に設けられた支持部に水平移動と自転とが可能に支持されたロックピンと当該ロックピンに連設された把手部とから構成され、前記ロック部材には、ロックピンが被係止部に係合するロック位置にあって且つ前記把手部が扉パネルの外側に沿う垂下姿勢にあるときに扉パネル側の被当接部に隣接してロックピンのロック解除方向への移動を阻止するロック保持用当接部が設けられ、把手部を前記垂下姿勢から上方に回動させることにより前記ロック保持用当接部が前記被当接部から離れてロック解除されるように構成された箱型パレットが知られている。
【０００３】
この種の箱型パレットの使用方法として、内袋をパレット内にセットし、この内袋に穀物などのバラものを収納する使用方法が知られている。このような使用方法でパレットを使用する場合、その内袋の内容物を取り出すときは、フォークリフトが備える反転機により内袋ごとパレットを掬い上げて反転させ、下向きになった内袋の口から内容物を排出させることになるのであるが、パレットが上下逆向きになることで、垂下姿勢にあってロックピンをロック位置に保持していた把手部がパレットに対し重力で上下逆向きに反転し、ロックピンに対するロックが解除された状態になる。この状態では、パレットを取り扱うときの振動でロックピンがロック解除方向にスライドして、扉パネルのロックが不測に外れてしまう恐れがある。従って、このパレットをフォークリフトで持ち上げて反転させる作業の途中で扉パネルが開いてしまったり、扉パネルのロックが外れた状態でパレットが正立姿勢に戻されたときに扉パネルが開いてしまうような、危険を伴う異常事態が発生することになる。このような問題点を解決する手段として、特許文献２に記載のように、把手部をスプリングでパレットに対する垂下姿勢に付勢保持させ、仮にパレットが上下逆向きになっても把手部をロック解除姿勢に回転しないように構成することが知られている。
【特許文献１】実公平８−２１０１号公報
【特許文献２】実公昭５０−５４６０号公報
【発明の開示】
【発明が解決しようとする課題】
【０００４】
上記のような特許文献２に記載の構成を採用した従来の箱型パレットでは、スプリングのような別部品とその取り付け作業が必要であるため、扉パネルのロック機構にかかるコストの大幅アップを免れないばかりでなく、スプリングの劣化や破損に起因する動作不良の恐れもある。又、確実な動作を期待しようとするとスプリングが強力になり、この結果、普段のロック解除時の操作性が悪くなる。
【課題を解決するための手段】
【０００５】
本発明は上記のような従来の問題点を解消し得る扉パネルを備えた箱型パレットを提供することを目的とするものであって、その手段を後述する実施形態の参照符号を付して示すと、開閉自在な扉パネル５と当該扉パネル５を閉じた状態でロックする係止手段１２Ａとを備え、当該係止手段１２Ａが、扉パネル５に隣接する側壁パネル２側の被係止部１５と、この被係止部１５に対して係脱自在なロック部材１４とから成り、このロック部材１４は、扉パネル５側に設けられた支持部１３に水平移動と自転とが可能に支持されたロックピン２１と当該ロックピン２１に連設された把手部２２とから構成され、前記ロック部材１４には、ロックピン２１が被係止部１５に係合するロック位置にあって且つ前記把手部２２が扉パネル５の外側に沿う垂下姿勢にあるときに扉パネル５側の被当接部（２６，３０）に隣接してロックピン２１のロック解除方向への移動を阻止するロック保持用当接部（２５，２９）が設けられ、把手部２２を前記垂下姿勢から上方に回動させることにより前記ロック保持用当接部（２５，２９）が前記被当接部（２６，３０）から外側に離れてロック解除されるように構成され、前記ロック保持用当接部（２５，２９）と前記被当接部（２６，３０）とは、前記ロック部材１４の把手部２２が、前記垂下姿勢とほぼ真上まで回動した起立姿勢との間の上下回動範囲の中間特定角度θにあるときのみ、ロック位置にあるロックピン２１のロック解除方向への移動を許すように構成された箱型パレットにおいて、
前記ロック保持用当接部は第一当接部２５と第二当接部２９とから構成され、前記被当接部は、前記第一当接部２５に対して作用する第一被当接部２６と、前記第二当接部２９に対して作用する第二被当接部３０とから構成され、把手部２２が垂下姿勢にあるときは、前記第一当接部２５と第一被当接部２６との当接によりロック位置にあるロックピン２１のロック解除方向への移動を阻止し、把手部２２が前記中間特定角度θ以外の角度まで上方に回動した状態では、前記第二当接部２９と第二被当接部３０との当接によりロック位置にあるロックピンのロック解除方向への移動を阻止する構成となっている。
【０００６】
更に、本発明においては、前記把手部２２は、左右両縦軸部２４ａ，２４ｂにおいて前記ロックピン２１に固着されるＵ字形把手部材２３で構成され、前記第一当接部２５は、前記Ｕ字形把手部材２３の片側の縦軸部２４ｂの前記ロックピン２１より反対側に延出する遊端部で構成され、前記第一被当接部２６は、前記ロックピン２１がロック位置にあるときに前記第一当接部２５に隣接する扉パネル５の縦方向線材２０ｂで構成され、扉パネル５側の前記支持部１３は、線材を門形に曲げ加工すると共に、その左右両縦軸部１６ａ，１６ｂに外側へ円弧形に突出して前記ロックピン２１の支持孔を扉パネル５との間で構成する突出部１７ａ，１７ｂが形成された支持部材１８から構成され、前記第二当接部２９は、前記ロックピン２１から突設された突起部で構成され、前記第二被当接部３０は、前記ロックピン２１がロック位置にあるときに前記第二当接部３０に隣接する前記支持部材１８の片側の前記突出部１７ａで構成されている。
【０００７】
上記構成の本発明を実施するについて、具体的には請求項２に記載のように、前記第二当接部２９を構成する突起部は、ロックピン２１の周面の一部を両側から押しつぶして半径方向に張り出させた張出肉部により形成するのが望ましい。
【発明の効果】
【００１０】
上記構成の本発明に係る扉パネルを備えた箱型パレットによれば、閉じ位置でロックされている扉パネルを開くときには、ロック部材の把手部を、垂下姿勢とほぼ真上まで回動した起立姿勢との間の上下回動範囲の中間特定角度まで上方に回動させた状態で当該把手部でロックピンをロック解除方向にスライドさせ、側壁パネル側の被係止部からロックピンを離脱させれば良い。即ち、従来のものと比較して、扉パネルのロック解除時に把手部の上方への回動操作角度が当該把手部の回動範囲内の中間特定角度に規制される、という不便さはあるが、当該中間特定角度以外の角度、例えば把手部が上下逆向きになる起立姿勢まで回動した状態では、ロックピンがロック解除方向にスライドすることは、ロック部材側のロック保持用当接部と扉パネル側の被当接部との当接により阻止されるので、この箱型パレットに内袋をセットしてバラものの搬送保管に使用する場合において、内袋からの内容物の取り出しのためにこのパレットを上下逆向きに反転させたときに把手部が重力で上下逆向きの姿勢（パレット側からみて起立姿勢）に回動しても、ロックピンのロックが外れてしまう恐れはない。
【００１１】
従って本発明による箱型パレットは、内袋をセットしてバラものの搬送保管に使用する場合においても、内袋からの内容物の取り出しのためにこのパレットを上下逆向きに反転させたことに起因して、そのとき又はその後で扉パネルが不測に開いてしまうような危険な異常事態が発生することが無くなり、安全に活用することができる。しかもスプリングやこれに代わるゴムベルトなどの付勢手段を必要とせず、比較的安価に実施することができると共に、普段の扉パネルのロック解除のための把手部の回動操作に余計な力が必要になるような不都合もない。
【００１２】
更に本発明の構成によれば、第一当接部と第一被当接部とは、先に説明したように従来周知の構成を利用できるので、従来の既製箱型パレットに、把手部が前記起立姿勢から前記中間特定角度までの範囲内にあるときにロックピンのロック解除方向への移動を阻止する第二当接部と第二被当接部とを追加するだけで、上記作用効果が期待できる本発明を実施することができる。従って、従来の既製箱型パレットの改良が簡単容易に行え、資産を有効活用できる。
【００１３】
更に本発明の構成によれば、従来周知の箱型パレットが備える扉パネル側のロック部材（ロックピン）の支持部をそのまま活用して前記第二被当接部を構成でき、前記第二当接部としては、ロックピンに突起部を突設させるだけで良いので、従来の既製箱型パレットの改良が一層簡単容易に行える。
【００１４】
又、請求項２に記載の構成によれば、ロックピンの第二当接部（突起部）も、当該ロックピンの押しつぶし加工で一体成形できるので、当該突起部を設けるために別部材をロックピンに取り付ける場合と比較して安価に実施することができる。
【発明を実施するための最良の形態】
【００１５】
先ず、本発明の具体的実施形態を示す添付図に基づいて、従来周知の箱型パレットの具体構造を説明すると、図１において、１は矩形の荷台部であって、その周囲三側辺に左右両側壁パネル２，３と背パネル４とが立設され、残る一側辺に扉パネル５が立設されている。具体的には、背パネル４は、その水平下側辺が荷台部１の後側辺にコイルヒンジを介して荷台部１の上に重ねるように折り畳み可能に取り付けられ、左右両側壁パネル２，３は、その垂直後側辺が背パネル４の垂直左右両側辺にコイルヒンジ６，７を介して背パネル４の内側に重ねるように折り畳み可能に取り付けられ、扉パネル５は、内側に折曲された水平下側辺が荷台部１の前側辺に近い位置にコイルヒンジ８を介して前後開閉可能に取り付けられた下半部５Ａと、この扉パネル下半部５Ａの水平上側辺にコイルヒンジ９を介して前後開閉可能に取り付けられた下半部５Ｂとから構成されている。従って、左右両側壁パネル２，３を背パネル４の内側に重ねるように折り畳んだ状態で当該背パネル４を荷台部１の上に重ねるように折り畳み、その上に重ねるように扉パネル５を折り畳むことができる。
【００１６】
尚、荷台部１の四隅下側には、フォークリフトのフォーク差し込み空間を形成すると共に同一パレットの段積みのための脚体１０が下向きに突設されている。又、各パネル２〜５は、縦方向の線材（鋼線材）と横方向の線材（鋼線材）とを碁盤目状に配列し、各交点で両線材を互いに固着して構成されたメッシュ構造の従来周知のものである。
【００１７】
扉パネル５の下半部５Ａの垂直左右両側辺の上端寄り２箇所には係止手段１１Ａ，１１Ｂが配設され、扉パネル５の上半部５Ｂの垂直左右両側辺の上端寄り２箇所には、係止手段１２Ａ，１２Ｂが配設されている。左右の一方にある係止手段１１Ａ，１２Ａと左右の他方にある係止手段１１Ｂ，１２Ｂとは左右対称形に構成されたもので、基本構造は全て同一であるから、以下、扉パネル上半部５Ｂの左側にある係止手段１２Ａを例にとって各係止手段の構成を説明する。
【００１８】
図２及び図３に示すように、係止手段１２Ａは、扉パネル上半部５Ｂの外側に取り付けられた支持部１３、この支持部１３に支持されたロック部材１４、及び側壁パネル２の垂直前側辺から前方に突設された被係止部１５から構成されている。
【００１９】
支持部１３は、１本の線材（鋼線材）を門形に折曲すると共に、その左右両縦軸部１６ａ，１６ｂの横軸部１６ｃに連なる上端部に、外側に円弧形に突出する突出部１７ａ，１７ｂが曲げ加工された支持部材１８を利用するもので、この支持部材１８を、左右両縦軸部１６ａ，１６ｂが扉パネル上半部５Ｂの内側の横方向線材１９ａ，１９ｂの上に重なると共に、横軸部１６ｃが扉パネル上半部５Ｂの外側の縦方向線材２０ａ，２０ｂの上に重なるように、扉パネル上半部５Ｂの外側に取り付けて構成している。ロック部材１４は、支持部材１８の左右両縦軸部１６ａ，１６ｂにおける突出部１７ａ，１７ｂと扉パネル上半部５Ｂの外側の縦方向線材２０ａ〜２０ｅとの間に左右水平方向に挿通されたロックピン２１と、このロックピン２１に連設された把手部２２とから構成されている。把手部２２は、１本の線材（鋼線材）をＵ字形に曲げ加工した把手部材２３を利用するもので、この把手部材２３を、その左右両縦軸部２４ａ，２４ｂの遊端部を、支持部材１８の左右両縦軸部１６ａ，１６ｂ間でロックピン２１の内側（扉パネル上半部５Ｂの側）に交叉するように重ねて互いに固着して構成している。被係止部１５は、１本の線材（鋼線材）をＵ字形に曲げ加工したもので、側壁パネル２の垂直前側辺に前方に突出するように取り付けられている。把手部材２３の左右両縦軸部２４ａ，２４ｂ間の間隔や、当該把手部材２３の左右両縦軸部２４ａ，２４ｂと支持部材１８の左右両縦軸部１６ａ，１６ｂ間に位置する扉パネル上半部５Ｂの縦方向線材２０ａ，２０ｂとの位置関係は、以下の如く係止手段１２Ａを機能させることができるように設定されている。
【００２０】
図１〜図３に示すように、扉パネル５を閉じることにより、側壁パネル２の垂直前側辺に扉パネル上半部５Ｂの垂直になった左右両側辺が重なり、図２及び図３に示すように側壁パネル２側の被係止部１５が、ロックピン２１と同一レベルで扉パネル上半部５Ｂの縦方向線材２０ｃ，２０ｄ間を外向きに貫通突出することになる。この状態で係止手段１２Ａにより扉パネル上半部５Ｂをロックするときは、ロックピン２１を回転軸として手前上方に把手部材２３を回動させ、当該把手部材２３の左右両縦軸部２４ａ，２４ｂの遊端部を、扉パネル上半部５Ｂの縦方向線材２０ａ，２０ｂと干渉しないロックピン２１の外側位置へ回動させた状態で、当該把手部材２３を利用してロックピン２１を被係止部１５に向かってロック方向に移動させることにより、当該ロックピン２１の先端部を扉パネル上半部５Ｂの外側で被係止部１５内を水平横方向に貫通させる。そして把手部材２３の左側の縦軸部２４ａの遊端部と支持部材１８の左側縦軸部１６ａ（突出部１７ａを含む）とが隣接してロックピン２１のロック方向への移動が制限された状態で把手部材２３を下方に回動させ、この把手部材２３の横軸部２４ｃが扉パネル上半部５Ｂの縦方向線材２０ａに当接すると共に当該把手部材２３の左右両縦軸部２４ａ，２４ｂの遊端部がロックピン２１の内側位置へ復帰する垂下姿勢に当該把手部材２３を切り換える。このとき、当該把手部材２３の右側縦軸部２４ｂの遊端部が扉パネル上半部５Ｂの縦方向線材２０ｂの左側に隣接し、ロック位置に達したロックピン２１がロック解除方向に移動するのを、把手部材２３の右側縦軸部２４ｂの遊端部と扉パネル上半部５Ｂの縦方向線材２０ｂとの当接により阻止され、ロックピン２１はロック位置に保持される。即ち、把手部材２３の右側縦軸部２４ｂの遊端部は、ロックピン２１をロック位置に保持するロック保持用の第一当接部２５を構成し、扉パネル上半部５Ｂの縦方向線材２０ｂは、当該第一当接部２５に作用する扉パネル上半部５Ｂ側の第一被当接部２６を構成していることになる。
【００２１】
扉パネル５（扉パネル上半部５Ｂ）を開くときは、上記垂下姿勢にある把手部材２３を手前上方に回動させ、その左右両縦軸部２４ａ，２４ｂの遊端部を扉パネル上半部５Ｂの縦方向線材２０ａ，２０ｂと干渉しないロックピン２１の外側位置へ回動させてロック解除状態に切り換えた後、当該把手部材２３でロックピン２１を、被係止部１５から先端部が離脱するロック解除方向に移動させる。これで扉パネル５（扉パネル上半部５Ｂ）を手前に開動させることができるが、把手部材２３の左側縦軸部２４ａの遊端部が扉パネル上半部５Ｂの縦方向線材２０ａを右方へ乗り越えた位置で把手部材２３を元の垂下姿勢に戻すことにより、ロックピン２１が不測にロック方向にスライドするのを、把手部材２３の左側縦軸部２４ａの遊端部が扉パネル上半部５Ｂの縦方向線材２０ａに当接することにより阻止できる。即ち、把手部材２３の左側縦軸部２４ａの遊端部は、ロックピン２１をロック解除位置に保持する第三当接部２７を構成し、扉パネル上半部５Ｂの縦方向線材２０ａは、当該第三当接部２７に作用する扉パネル上半部５Ｂ側の第三被当接部２８を構成していることになる。
【００２２】
以上のような従来周知の構成の係止手段１２Ａにおいて、本発明に係る本実施形態では、図４及び図５に示すようにロックピン２１にロック保持用の第二当接部２９が突設される。即ち、図２に示すようにロックピン２１がロック位置にあって且つ垂下姿勢の把手部材２３でそのロック位置に保持されているときに、支持部材１８における左側縦軸部１６ａの突出部１７ａに対し当該ロックピン２１の先端部が係合する被係止部１５のある側に隣接し且つ把手部材２３の横軸部２４ｃ側から見た左右両縦軸部２４ａ，２４ｂの遊端部（第一第三各当接部２５，２７）の向きとほぼ同一向きに突出する第二当接部２９がロックピン２１から突設されている。この第二当接部２９は、ロックピン２１から半径方向に突出する突起部から成るもので、当該突起部は、ロックピン２１の周面の一部を両側から押しつぶしてほぼ半円形に張り出させた張出肉部により形成されている。そしてこの第二当接部２９の張出量と厚さは、次の如く機能するように設定されている。
【００２３】
即ち、上記の第二当接部２９の存在により、側壁パネル２側の被係止部１５に先端部が係合するロック位置にあるロックピン２１をロック解除方向にスライドさせるために把手部材２３を手前上方に回動させたとき、単に把手部材２３を図４Ｂに仮想線で示すように上下反転した起立姿勢まで回転させたのでは、当該把手部材２３の左右両縦軸部２４ａ，２４ｂの遊端部（第一第三各当接部２５，２７）が扉パネル上半部５Ｂの縦方向線材２０ａ，２０ｂと干渉しないロックピン２１の外側位置に移動するが、第二当接部２９が斜め外下向きの姿勢となり、その先端部が側面視（ロックピン２１の軸方向から見たとき）において支持部材１８における左側縦軸部１６ａの突出部１７ａと重なることになり、仮に図示のように把手部材２３でロックピン２１を持ち上げて、突出部１７ａ，１７ｂ内の遊びの範囲内でロックピン２１の位置を上げても、突出部１７ａと第二当接部２９とが干渉し合ってロックピン２１をロック解除方向にスライドさせることができない。換言すれば、この実施形態では、支持部材１８における左側縦軸部１６ａの突出部１７ａがロックピン２１側の第二当接部２９と当接してロックピン２１をロック位置に保持する第二被当接部３０を構成していることになる。
【００２４】
従って、ロック位置にあるロックピン２１をロック解除方向にスライドさせるために把手部材２３を手前上方に回動させるとき、図４Ｂに実線で示すように当該把手部材２３でロックピン２１を持ち上げた状態で、側面視（ロックピン２１の軸方向から見たとき）において、把手部材２３側の第一当接部（右側縦軸部２４ｂの遊端部）２５が扉パネル側の第一被当接部２６（扉パネル上半部５Ｂの縦方向線材２０ｂ）と重ならない向きになり且つロックピン２１側の第二当接部２９が扉パネル側の第二被当接部３０（支持部材１８における左側縦軸部１６ａの突出部１７ａ）と重ならない向きになる角度、即ち、垂下姿勢と上下反転した起立姿勢との間の中間特定角度θまで把手部材２３を手前上方に回動させる。この状態で把手部材２３を介してロックピン２１をロック解除方向に移動させることにより、把手部材２３側の第一当接部２５と扉パネル側の第一被当接部２６との干渉やロックピン２１側の第二当接部２９と扉パネル側の第二被当接部３０との干渉を受けずにロックピン２１をロック解除方向に移動させ、扉パネル上半部５Ｂの閉じ位置でのロックを解除して当該扉パネル上半部５Ｂを回動させることができる。
【００２５】
尚、把手部材２３でロックピン２１を持ち上げることと、当該把手部材２３を手前上方に中間特定角度θまで回動させることの２条件が必要であるように説明したが、この実施形態では、第二当接部２９が半円形の突起部で構成されると共に、第二被当接部３０を構成する支持部材１８における左側縦軸部１６ａの突出部１７ａが丸棒状の線材から構成されているので、実際には、把手部材２３でロックピン２１を持ち上げないまま、中間特定角度θまで手前上方に回動させた把手部材２３でロックピン２１をロック解除方向に移動させても、第二当接部２９の周面が第二被当接部３０の周面に乗り上げてロックピン２１を押し上げながら通過できるので、一応問題なくロックピン２１をロック解除方向に移動させることは可能である。
【００２６】
勿論、この実施形態では、支持部材１８における左側縦軸部１６ａの突出部１７ａ（第二被当接部３０）の内側は開放されているので、把手部材２３を中間特定角度θまで回動させたときに側面視において第一当接部２９が前記突出部１７ａと重ならない向きとなるように当該第二当接部２９をロックピン２１から突設させておけば、把手部材２３でロックピン２１を持ち上げないまま、中間特定角度θまで手前上方に回動させた把手部材２３でロックピン２１をロック解除方向に移動させ、第二当接部２９が突出部１７ａ（第二被当接部３０）を通過し終わると、その後は、把手部材２３を中間特定角度θから更に上方に、例えば上下反転した起立姿勢まで回動させて、ロックピン２１を更にロック解除方向に移動させることができる。
【００２７】
上記構成の本発明の実施形態に係る箱型パレットによれば、この箱型パレットに内袋をセットしてバラものの搬送保管に使用する場合においても、内袋からの内容物の取り出しのためにこのパレットを上下逆向きに反転させたとき、図６に示すように、仮に重力で把手部材２３が下方に回動して垂れ下がると共に支持部材１８の左右両突出部１７ａ，１７ｂ内の遊び空間内の範囲で下方に移動しても、図４Ｂに仮想線で示す状態、即ち、把手部材２３を起立姿勢まで手前上方に回動させると共にロックピン２１を持ち上げた状態と同一状態であって、把手部材２３側の第一当接部２５と扉パネル側の第一被当接部２６とは互いに干渉しなくなってロックピン２１をロック位置に保持することができなくなっても、ロックピン２１側の第二当接部２９と支持部材１８側の第二被当接部３０（突出部１７ａ）とが互いに干渉し合ってロックピン２１をロック位置に保持することになるので、振動などでロックピン２１が不測にロック解除方向に移動して扉パネル上半部５Ｂが開いてしまう恐れは解消する。
【図面の簡単な説明】
【００２８】
【図１】箱型パレットの全体を示す斜視図である。
【図２】１つの係止手段を示す要部の拡大正面図である。
【図３】１つの係止手段を示す要部の拡大側面図である。
【図４】Ａ図は図２のＸ−Ｘ線拡大断面図、Ｂ図はＡ図の把手部材を中間特定角度まで回動させると共に当該把手部材でロックピンを持ち上げた状態を示す縦断側面図である。
【図５】Ａ図はロック部材の要部を示す正面図、Ｂ図はＡ図のＹ−Ｙ線断面図である。
【図６】パレットが上下反転されたときの係止手段の状態を示す要部の縦断側面図である。
【符号の説明】
【００２９】
１    荷台部
２，３    左右両側壁パネル
４    背パネル
５    扉パネル
５Ａ    扉パネル下半部
５Ｂ    扉パネル上半部
６〜９    コイルヒンジ
１１Ａ〜１２Ｂ    係止手段
１３    支持部
１４    ロック部材
１５    被係止部
１６ａ，１６ｂ    左右両縦軸部（支持部材）
１７ａ，１７ｂ    突出部（支持部材）
１８    支持部材（支持部）
１９ａ，１９ｂ    扉パネル横方向線材
２０ａ〜２０ｅ    扉パネル縦方向線材
２１    ロックピン（ロック部材）
２２    把手部（ロック部材）
２３    把手部材
２４ａ，２４ｂ    左右両縦軸部（把手部材）
２５    第一当接部（右側縦軸部２４ｂの遊端部）
２６    第一被当接部（扉パネル縦方向線材２０ｂ）
２９    第二当接部
３０    第二被当接部（支持部材１８の左側突出部１７ａ）
【図１】
0004730653.tif 000002
【図２】
0004730653.tif 000003
【図３】
0004730653.tif 000004
【図４】
0004730653.tif 000005
【図５】
0004730653.tif 000006
【図６】
0004730653.tif 000007